(57)【要約】      （修正有）【課題】刀剣を体感できる刀剣メジャーを提供する。【解決手段】刀剣メジャーは、ケースとケースに収容されるメジャー本体１２を備え、メジャー本体１２は、刀剣の形状を再現するための複数の寸法情報を、目盛り１２ａと関連づけてマーク１２ｂ１〜１２ｂ５や文字・図形１２ｃ１〜１２ｃ６、１２ｃ３’、１２ｃ６’などの目印として表わしたものである。目盛り１２ａ上の目印から刀剣の各部位の長さを知ることができ、メジャー自体を刀剣と見立てることもできる。このため、実際には所持することが難しい刀剣を、メジャーを所持することで身近に体感することができる。【選択図】図３
0003229641.tif 000002
【実用新案登録請求の範囲】
【請求項１】
刀剣の形状を再現するための複数の寸法情報を、目盛りと関連づけて目印として表わしたことを特徴とする刀剣メジャー。
【請求項２】
前記寸法情報は、少なくとも刀剣の長手方向の寸法と、刀剣の短手方向の寸法に関する情報を含む、請求項１に記載の刀剣メジャー。
【請求項３】
前記寸法情報は、刀剣の全長、刃長、反り、元幅、茎長、切先長に関する情報の全部又は一部を含む、請求項１又は２に記載の刀剣メジャー。
【請求項４】
メジャー本体の表側に目盛りに沿って目印となるマークを付し、裏面の対応位置に目印の意味を図や文字列で記している、請求項１〜３の何れかに記載の刀剣メジャー。
【請求項５】
ケースと、このケースに収容されるメジャー本体を備え、メジャー本体はケースから引き出し、操作部を操作することによって巻き取られる巻き尺式のものである、請求項１〜４の何れかに記載の刀剣メジャー。
【考案の詳細な説明】
【技術分野】
【０００１】
本考案は、刀剣を体感できる刀剣メジャーに関する。
【背景技術】
【０００２】
刀剣は、単に武器としてのみならず、時代を生きた武士や大名、権力者の社会的地位、権力の象徴として重要な意味あいを持ち、その美しい姿からも、極めて貴重な美術工芸品となっている。名刀と言われるものだけでも少なからぬ数があり、その1振1振に、高い工芸的価値と歴史的価値が認められていて、国宝に指定されているものも少なくない。
【０００３】
とりわけ、近年においては、刀剣を擬人化したオンラインゲームが流行し、刀剣鑑賞のための展示会も各地で開催されるなど、刀剣ブームが熱を帯びている。特許文献１は本考案と直接関係するものではないが、刀剣の玩具を開示している。
【先行技術文献】
【特許文献】
【０００４】
【特許文献１】特開２０１９−０７２０８７号公報
【考案の開示】
【考案が解決しようとする課題】
【０００５】
ところで、国宝・重要文化財等の刀剣は厳重な管理下に置かれているため、実際に手に取って鑑賞することは難しい。
【０００６】
刀剣のすばらしさに触れ、その魅力に惹かれれば、刀剣を身近に置いて鑑賞したいという心理は、マニアならずとも、展示会で刀剣を鑑賞した者等に共通しているようである。
そこで本考案は、刀剣を実際に身近に置くことが難しくとも、刀剣を体感できるアイテムを新たに実現することで、こうした要望に応えようとするものである。
【課題を解決するための手段】
【０００７】
本考案は、かかる課題を解決するために、次のような手段を講じたものである。
【０００８】
すなわち、本考案に係る刀剣メジャーは、刀剣の形状を再現するための複数の寸法情報を、目盛りと関連づけて目印として表わしたことを特徴とする。
【０００９】
このようにすれば、目盛り上の目印から刀剣の各部位の長さを知ることができ、メジャー自体を刀剣と見立てることもできる。このため、実際には所持が難しい刀剣を、メジャーを所持することで身近に体感することができる。
【００１０】
寸法情報は、少なくとも刀剣の長手方向の寸法と、刀剣の短手方向の寸法に関する情報を含むことが望ましい。このようにすれば、１つの長手方向に２次元、３次元の情報を表わすことができ、１次元の目盛りから２次元、３次元の形状を取り出すことができる。
【００１１】
寸法情報は、刀剣の全長、刃長、反り、元幅、茎長、切先長に関する情報の全部又は一部を含むことが望ましい。
【００１２】
これらの寸法は、刀剣の基本情報であるため、これらの寸法情報があれば刀剣の形状をほぼ再生することができる。
【００１３】
刀剣メジャーは、メジャー本体の表側に目盛りに沿って目印となるマークを付し、裏面の対応位置に目印の意味を図や文字列で記していることが望ましい。メジャー自体は幅狭であるので、このようにすることで限られた面積のなかで寸法情報を有効に表すことができる。
【００１４】
刀剣メジャーは、ケースと、このケースに収容されるメジャー本体を備え、メジャー本体はケースから引き出し、操作部を操作することによって巻き取られる巻き尺式のものであることが望ましい。このようにすれば、長尺物である刀剣を極めてコンパクトな形に収めることができ、メジャー本体の出し入れも容易になる。
【考案の効果】
【００１５】
以上説明した本考案によれば、実際には所持することが難しい刀剣を、メジャーを所持することで身近に疑似体験することができる。このため、お気に入りの刀剣を収集することも簡単にでき、シリーズが揃えば、メジャー自体は廉価であるため、費用をかけずに多くの種類の刀剣を収集することが可能になる。
【図面の簡単な説明】
【００１６】
【図１】本考案の一例である「圧切長谷部」の刀剣メジャーを示す図。
【図２】刀剣「圧切長谷部」の商品パッケージに印刷する情報を示す図。
【図３】図1に示す刀剣メジャー「圧切長谷部」のケースからメジャー本体を引き出した部分を示す図。
【図４】本考案の他の一例である「石切丸」の刀剣メジャーを示す図。
【図５】刀剣「石切丸」の商品パッケージに印刷する情報を示す図。
【図６】図1に示す刀剣メジャー「石切丸」のケースからメジャー本体を引き出した部分を示す図。
【考案を実施するための形態】
【００１７】
以下、本考案の一実施形態を、図１〜図６を参照して説明する。
【００１８】
図１は刀剣の一つである圧切長谷部（へしきりはせべ）の刀剣メジャー１を表し、図２は刀剣「圧切長谷部」２の商品パッケージに印刷する情報情報を示す図、図３は図1に示す刀剣メジャー「圧切長谷部」１のケース１１からメジャー本体１２を引き出した際の一部を示す図である。この名刀は、織田信長が、茶坊主観内が敵対したので手討にしたが、御前の下に隠れたので、棚下に刀を差し込み、圧し切ってしまったため「へし切長谷部」と名付けられたものである。福岡藩主黒田家に家宝として伝来したとされ、凄まじいまでの切れ味を持つ名刀として知られている。
【００１９】
この刀剣の寸法情報は、全長が８１．５ｃｍ、刃長６４．８ｃｍ、反り０．９ｃｍ、元幅３．０ｃｍ、茎長１６．７ｃｍ、切先長５．９ｃｍである。
【００２０】
刀剣の全長は刀剣を手で握る部分である茎（なかご）の基端から刃の先端である切先までの距離であり、刃長は刃の基端から刃の先端までの刃の実長であり、反りは刃の基端と先端を直線で結んだときにその直線とほぼ直交方向に最大に刃が反っている部分の距離である。また、元幅は刀の基端の幅寸法であり、茎長は刀剣を手で握る部分に対応する茎（なかご）の長さ寸法であり、切先長は刃の先端部分において刃幅が徐々に狭くなって刃先に至る部分の寸法である。
これらの寸法情報は、刀剣１振本1振の特徴を如実に表している。
【００２１】
刀剣メジャー「圧切長谷部」１は、ケース１１と、このケースに収容されるメジャー本体１２を備え、メジャー本体１２はケース１１から引き出し、操作部１３を押圧操作することによって引き出した際に蓄積したバネ力でメジャー本体１１が巻き取られる巻き尺式のものである。ケース１１の表面又は表裏面には、刀剣を表わす「圧切長谷部」の文字１１ａと、刀剣ごとに異ならせた模様１１ｂが付されている。
【００２２】
そして、刀剣の形状を再現するための複数の寸法情報を、図３に示すように目盛り１２ａと関連づけて目印として表わしている。
【００２３】
具体的には、メジャー本体１２の表面の目盛り１２ａ上の各位置に目印として▲のマーク１２ｂ１、１２ｂ２、１２ｂ３、１２ｂ４、１２ｂ５が付され、裏面の対応位置にはそれぞれのマーク１２ｂ１、１２ｂ２、１２ｂ３、１２ｂ４、１２ｂ５の意味である「反り０．９ｃｍ」の文字１２ｃ１、「元幅３．０ｃｍ」の文字１２ｃ２、「茎長１６．７ｃｍ」の文字１２ｃ３および茎部分の図形１２ｃ３´、「全長８１．５ｃｍ」の文字１２ｃ４が記してある。なお、７５．６ｃｍのトコロのマーク１２ｂ５の裏面には特に文字等は記されていないが、適宜記すことができる。また、「刃長６４、８ｃｍ」の文字１２ｃ４や、「刃先長５．９ｃｍ」の文字１２ｃ６および図形１２ｃ６´は実際の目盛りとは異なる位置に記してあるが、これらの文字も実際の目盛り近くに▲のマークとともに記すことが有効である。１２ｃ７はこの刀剣自体を説明する文字列である。
【００２４】
図４は刀剣の一つである「石切丸（いしきりまる」の刀剣メジャー１０１を表し、図５は刀剣「石切丸」の商品パッケージに印刷する情報を示す図、図６は図1に示す刀剣メジャー「石切丸」１０１のケース１１１からメジャー本体１１２を引き出した際の一部を示す図である。この名刀は、「平治物語」に悪源太として知られた源義平が同名の太刀を佩用していたことが記述されているが、定かではない。石切丸の名前の由来は不詳であるが、「石切」という言葉には、御祭神の神威がわが刃は岩をも断つ・貫く矢の如く、強大であり程度が並大抵ではないことを示す称号として知られている。
【００２５】
この刀剣の寸法情報は、全長９９．８ｃｍ、刃長７６．０ｃｍ、茎（なかご）長２４．２ｃｍ、反り２．６ｃｍ、元幅２．７７ｃｍ、鉾長（２．４ｃｍである。メジャー本体１１２の表面の目盛り上の各位置に▲の目印が付され、裏面にはそれぞれの刀剣情報「全長」、「刃長」、「反り」、「元幅」、「茎長」、「鉾長」の文字が記されている。ここに言う「鉾長」は「切先長」に相当する。
【００２６】
この刀剣メジャー「石切丸」１０１も、刀剣メジャー「圧切長谷部」１と同様、ケース１１１と、このケース１１１に収容されるメジャー本体１１２を備え、メジャー本体１１２はケース１１１から引き出し、操作部１１３を押圧操作することによって引き出した際に蓄積したバネ力でメジャー本体１１１が巻き取られる巻き尺式のものである。
【００２７】
ケース１１１やメジャー本体１１２の大きさは、上記刀剣「圧切長谷部（へしきりはせべ）」１と同様である。
【００２８】
そして、刀剣の形状を再現するための複数の寸法情報を、目盛りと関連づけて目印として表わしている。
【００２９】
図６に付した符号のうち、図３と対応する位置には百番台の対応符号を付して、説明を省略している。
【００３０】
この刀剣メジャー１０１も、メジャー本体１１２の表面の目盛り上の各位置に目印として▲のマークが付され、裏面にはそれぞれの目印の表わす、「全長」、「刃長」、「反り」、「元幅」、「茎長」、「鉾長（監修者によっては切先長に替わる呼称）」の文字や刀のどの部分であるかの図形が記されている点で、刀剣メジャー１と同様である。
【００３１】
このように、刀剣の１振1振が高い工芸的価値、歴史的価値を有するものであるが、本考案のような刀剣メジャーであれば、簡単に作ることができ、刀剣の種類ごとに用意することも簡単で、気軽に所持、鑑賞することが可能である。
【００３２】
以下、図１〜図3に基づいて説明した刀剣「圧切長谷部」を借りて、本実施形態の構成と作用効果を説明する。
【００３３】
本考案に係る刀剣メジャー１は、刀剣の形状を再現するための複数の寸法情報を、目盛りと関連づけてマークや文字・図形などの目印として表わしたものである。
【００３４】
このようにすれば、目盛り上の目印から刀剣の各部位の長さを知ることができ、メジャー自体を刀剣と見立てることもできる。このため、実際には所持が難しい刀剣を、メジャーを所持することで身近に体感することができる。
【００３５】
特に上記寸法情報は、少なくとも刀剣の長手方向の寸法（全長、刃長、茎長など）と、刀剣の短手方向の寸法（反り、刃幅など）に関する情報を含んでいる。
【００３６】
長尺物であれば、メジャーの長手方向に沿って各部位の寸法情報を記すのが通例であるが、本考案は、メジャーの長手方向に、刀剣の長手方向の寸法情報のみならず、刀剣の幅方向、必要に応じて厚み方向の寸法情報も混在させるため、１つの長手方向に２次元、３次元の情報を表わすことができ、１次元の目盛りから２次元、３次元の形状を取り出すことができる。
【００３７】
具体的には、寸法情報は、刀剣の全長、刃長、反り、元幅、茎長、切先長に関する情報の全部又は一部を含んでいる。
【００３８】
これらの寸法は、刀剣の基本情報であるため、これらの寸法情報があれば刀剣の形状をほぼ再生することができる。
【００３９】
すなわち、実際に刀剣を身近に置かずとも、茎長や元幅の情報を頼りに刀剣を握ったときの握りの感触や、切先長の情報を頼りに刀剣を持ったときの刃先の位置の感触や、反りの情報を頼りに刀剣がどの程度沿っているかの感触等を、メジャーを使って体感することができる。
【００４０】
このため、実際には所持や携帯が難しい刀剣を、身近に置いて容易に体感することができる。しかも、刀剣ごとに刀剣メジャーの目印の位置に個性があるので、刀剣メジャーを並べて対比すれば、名刀同士の形状の特徴、違いをよりリアルに実感することができる。
【００４１】
特に、メジャー本体１２の表側に目盛り１２ａに沿って目印となるマーク１２ｂを付し、裏面の対応位置に目印の意味を図や文字列１２ｃで記している。
【００４２】
メジャー自体は幅狭であるので、このようにすることで限られた面積のなかで寸法情報を有効に表すことができる。
【００４３】
特にこの実施形態の刀剣メジャー１は、ケース１１と、このケース１１に収容されるメジャー本体１２を備え、メジャー本体１２はケース１１から引き出し、操作部１３を操作することによって巻き取られる巻き尺式のものである。
【００４４】
このようにすれば、長尺物である刀剣を極めてコンパクトな形に収めることができ、メジャー本体１２の出し入れも容易になる。
【００４５】
また、例えば、片手にケース１１を持ち、もう片方の手でメジャー１２を前方に引き出せば、刀をさやから抜く動作を体感することができ、その際に刃長分を引き出すことで、刃がさやから抜ける位置を体感することができる。
【００４６】
或いは、この状態でケース１１を茎（なかご）と見立て、その先に引き出されたメジャー本体１２を刃長部分と見立てれば、刀剣を抜いて片手に持っている状態を体感することができる。
【００４７】
以上、本考案の一実施形態について説明したが、マークに▲以外のものを使用するなど、各部の具体的な構成は図示例に限定されるものではなく、本考案の趣旨を逸脱しない範囲で種々変形が可能である。
【符号の説明】
【００４８】
１…刀剣メジャー
１０１…刀剣メジャー
【図１】
0003229641.tif 000003
【図２】
0003229641.tif 000004
【図３】
0003229641.tif 000005
【図４】
0003229641.tif 000006
【図５】
0003229641.tif 000007
【図６】
0003229641.tif 000008